(57)【要約】      （修正有）【課題】時間と人手をかけることなく、特に初心者であっても説明書を見るだけで簡単にかつ素早くグラウンド全体について区画線の設営を行うことができる野球競技場区画線設営具を提供する。【解決手段】シート１と、第１線状体と、第２線状体と、第３線状体と、第１から第３の線状体がそれぞれ巻き取られた第１リールＲ１、第２リールＲ２及び第３リールＲ３とを備え、シートに、本塁印刷部Ｈ、バッターズ・ボックス印刷部Ｂ、一塁側のファウル・ライン印刷部Ｆ、及び三塁側のファウル・ライン印刷部Ｔを印刷し、本塁印刷部及びバッターズ・ボックス印刷部に設営孔Ｈ１を設け、本塁印刷部の左右の斜辺部の交点に第２リールを取り付け、ファウル・ライン印刷部又はファウル・ライン印刷部の本塁側の延長線上にそれぞれ第１リール及び第３リールを取り付けたことを特徴とする。【選択図】図１
0003174946.tif 000002
【実用新案登録請求の範囲】
【請求項１】
本塁およびバッターズ・ボックスの設営エリアを覆うためのシートと、
本塁から一塁までの距離を表示する表示部及び本塁から一塁までの距離の２倍の距離を表示する２倍表示部が設けられた一塁側のファウル・ライン設営用の第１線状体と、
本塁から投手板までの距離を表示する表示部及び本塁から二塁までの距離を表示する表示部が設けられた第２線状体と、
本塁から三塁までの距離を表示する表示部及び本塁から三塁までの距離の２倍の距離を表示する２倍表示部が設けられた三塁側のファウル・ライン設営用の第３線状体と、
前記第１から第３の線状体がそれぞれ巻き取られた第１リール、第２リール及び第３リールと
を備えており、
前記シートに、前記シートを本塁およびバッターズ・ボックスの設営エリアのグラウンドに固定するための固定孔を設け、
前記シートに、本塁と同じ寸法形状を表示する本塁印刷部、バッターズ・ボックスと同じ寸法形状を表示するバッターズ・ボックス印刷部、一塁側のファウル・ラインの本塁側の端部を表示する一塁側のファウル・ライン印刷部、及び三塁側のファウル・ラインの本塁側の端部を表示する三塁側のファウル・ライン印刷部を所定に位置関係で印刷し、
前記本塁印刷部及び前記バッターズ・ボックス印刷部に設営孔を設け、
前記本塁印刷部のうち、左右のファウル・ライン印刷部の延長線上に位置する左右の斜辺部の交点に、前記第２リールを取り付け、
左右のファウル・ライン印刷部又は左右のファウル・ライン印刷部の本塁側の延長線上にそれぞれ前記第１リール及び前記第３リールを取り付けたことを特徴とする野球競技場区画線設営具。
【請求項２】
前記シートは、折り畳み可能であることを特徴とする請求項１に記載の野球競技場区画線設営具。
【請求項３】
前記第１線状体の前記表示部を一塁の位置で固定するためのアンカー杭と、
前記第３線状体の前記表示部を三塁の位置で固定するためのアンカー杭と
を備えたことを特徴とする請求項１又は請求項２に記載の野球競技場区画線設営具。
【請求項４】
前記第１線状体に沿ってスリーフィート・ライン設営用の第４線状体が取り付けられていることを特徴とする請求項１ないし請求項３の何れか１項に記載の野球競技場区画線設営具。
【請求項５】
前記第１線状体に、本塁から一塁までの距離を表示する前記表示部から一塁コーチャーズ・ボックスまでの距離を表示すると共に一塁コーチャーズ・ボックスのサイズを表示する表示部が設けられ、
前記第３線状体に、本塁から三塁までの距離を表示する前記表示部から三塁コーチャーズ・ボックスまでの距離を表示すると共に三塁コーチャーズ・ボックスのサイズを表示する表示部が設けられていることを特徴とする請求項１ないし請求項４の何れか１項に記載の野球競技場区画線設営具。
【考案の詳細な説明】
【技術分野】
【０００１】
本考案は、グラウンドに野球の区画線を設営するための野球競技場区画線設営具に関する。
【背景技術】
【０００２】
野球規則によれば、野球の競技者に応じて塁間の距離等が詳細に規定されている。このため、野球の試合を始める前に、グラウンドに、メジャー等を駆使し、大人４〜５名で多くの時間をかけて区画線の設営が行われるが、区画線の設営作業は、設営する者にとって大きな負担になっていた。
そこで、区画線を線引きする際に、ガイドして用いられる区画線線引きシートが提案されている（特許文献１）。
【先行技術文献】
【特許文献】
【０００３】
【特許文献１】実開平２−１７１６０号公報
【考案の概要】
【考案が解決しようとする課題】
【０００４】
しかしながら、野球競技場の区画線の設営作業は、グラウンド全体について行われるため、さらに技術を改良することが求められていた。
【０００５】
そこで、本願考案が解決しようとする課題は、
時間と人手をかけることなく、特に初心者であっても説明書を見るだけで簡単にかつ素早くグラウンド全体について区画線の設営を行うことができる野球競技場区画線設営具を提供することである。
【課題を解決するための手段】
【０００６】
本願考案者は、上記の従来技術が有する、各種の問題点に鑑み、鋭意検討を重ね、野球競技場区画線設営具を完成させたものである。
＊＊＊＊＊＊＊＊＊＊＊＊＊＊＊＊＊＊＊＊＊＊＊＊＊＊＊＊＊＊＊＊＊＊＊＊＊＊＊＊
本願の明細書、実用新案登録請求の範囲等に記載の用語についての解釈上の疑義を解消すべく、以下本願明細書、実用新案登録請求の範囲等に記載する用語の説明を行うこととする。
＜用語の説明＞
●「野球競技場区画線」とは、財団法人全日本軟式野球連盟規程等で定められた野球競技場区画線、バッターズ・ボックス、キャッチャーズ・ボックス区画線などいう。
●「野球の競技者」とは、学童を含む競技者をいう。
●「シート」とは、折り畳み、巻き取り可能な薄板状のものをいう。
●「線状体」とは、紐、テープなどの線状のものを広く含む概念である。
●「表示部」とは、目印等の表示手段をいう。
●「アンカー杭」には、ペグアンカー等の種々のアンカー類が含まれる。
＊＊＊＊＊＊＊＊＊＊＊＊＊＊＊＊＊＊＊＊＊＊＊＊＊＊＊＊＊＊＊＊＊＊＊＊＊＊＊＊
【０００７】
課題を解決するための手段（第１考案〜第５考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案であり、
第５考案は、請求項５に記載の考案であり、
具体的な課題を解決するための手段は、以下の通りである。
【０００８】
請求項１に記載の考案は、
本塁およびバッターズ・ボックスの設営エリアを覆うためのシートと、
本塁から一塁までの距離を表示する表示部及び本塁から一塁までの距離の２倍の距離を表示する２倍表示部が設けられた一塁側のファウル・ライン設営用の第１線状体と、
本塁から投手板までの距離を表示する表示部及び本塁から二塁までの距離を表示する表示部が設けられた第２線状体と、
本塁から三塁までの距離を表示する表示部及び本塁から三塁までの距離の２倍の距離を表示する２倍表示部が設けられた三塁側のファウル・ライン設営用の第３線状体と、
前記第１から第３の線状体がそれぞれ巻き取られた第１リール、第２リール及び第３リールと
を備えており、
前記シートに、前記シートを本塁およびバッターズ・ボックスの設営エリアのグラウンドに固定するための固定孔を設け、
前記シートに、本塁と同じ寸法形状を表示する本塁印刷部、バッターズ・ボックスと同じ寸法形状を表示するバッターズ・ボックス印刷部、一塁側のファウル・ラインの本塁側の端部を表示する一塁側のファウル・ライン印刷部、及び三塁側のファウル・ラインの本塁側の端部を表示する三塁側のファウル・ライン印刷部を所定に位置関係で印刷し、
前記本塁印刷部及び前記バッターズ・ボックス印刷部に設営孔を設け、
前記本塁印刷部のうち、左右のファウル・ライン印刷部の延長線上に位置する左右の斜辺部の交点に、前記第２リールを取り付け、
左右のファウル・ライン印刷部又は左右のファウル・ライン印刷部の本塁側の延長線上にそれぞれ前記第１リール及び前記第３リールを取り付けたことを特徴とする野球競技場区画線設営具である。
【０００９】
請求項２に記載の考案は、
前記シートは、折り畳み可能であることを特徴とする請求項１に記載の野球競技場区画線設営具である。
【００１０】
請求項３に記載の考案は、
前記第１線状体の前記表示部を一塁の位置で固定するためのアンカー杭と、
前記第３線状体の前記表示部を三塁の位置で固定するためのアンカー杭と
を備えたことを特徴とする請求項１又は請求項２に記載の野球競技場区画線設営具である。
【００１１】
請求項４に記載の考案は、
前記第１線状体に沿ってスリーフィート・ライン設営用の第４線状体が取り付けられていることを特徴とする請求項１ないし請求項３の何れか１項に記載の野球競技場区画線設営具である。
【００１２】
請求項５に記載の考案は、
前記第１線状体に、本塁から一塁までの距離を表示する前記表示部から一塁コーチャーズ・ボックスまでの距離を表示すると共に一塁コーチャーズ・ボックスのサイズを表示する表示部が設けられ、
前記第３線状体に、本塁から三塁までの距離を表示する前記表示部から三塁コーチャーズ・ボックスまでの距離を表示すると共に三塁コーチャーズ・ボックスのサイズを表示する表示部が設けられていることを特徴とする請求項１ないし請求項４の何れか１項に記載の野球競技場区画線設営具である。
【考案の効果】
【００１３】
本願考案に係る、野球競技場区画線設営具は、上記のような特徴的構成要件から構成され、特徴的構成要件に応じた、以下のような本願考案特有の効果を奏する。また、上記のような特徴的構成要件から構成された野球競技場区画線設営具によれば、本願考案の課題を十分解消することができた。
すなわち、第１の考案によれば、
「本塁およびバッターズ・ボックスの設営エリアを覆うためのシートと、
本塁から一塁までの距離を表示する表示部及び本塁から一塁までの距離の２倍の距離を表示する２倍表示部が設けられた一塁側のファウル・ライン設営用の第１線状体と、
本塁から投手板までの距離を表示する表示部及び本塁から二塁までの距離を表示する表示部が設けられた第２線状体と、
本塁から三塁までの距離を表示する表示部及び本塁から三塁までの距離の２倍の距離を表示する２倍表示部が設けられた三塁側のファウル・ライン設営用の第３線状体と、
前記第１から第３の線状体がそれぞれ巻き取られた第１リール、第２リール及び第３リールと
を備えており、
前記シートに、前記シートを本塁およびバッターズ・ボックスの設営エリアのグラウンドに固定するための固定孔を設け、
前記シートに、本塁と同じ寸法形状を表示する本塁印刷部、バッターズ・ボックスと同じ寸法形状を表示するバッターズ・ボックス印刷部、一塁側のファウル・ラインの本塁側の端部を表示する一塁側のファウル・ライン印刷部、及び三塁側のファウル・ラインの本塁側の端部を表示する三塁側のファウル・ライン印刷部を所定に位置関係で印刷し、
前記本塁印刷部及び前記バッターズ・ボックス印刷部に設営孔を設け、
前記本塁印刷部のうち、左右のファウル・ライン印刷部の延長線上に位置する左右の斜辺部の交点に、前記第２リールを取り付け、
左右のファウル・ライン印刷部又は左右のファウル・ライン印刷部の本塁側の延長線上にそれぞれ前記第１リール及び前記第３リールを取り付けた」という特徴的構成要件により、
また、第２の考案によれば、
「前記シートは、折り畳み可能である」という特徴的構成要件により、
また、第３の考案によれば、
「前記第１線状体の前記表示部を一塁の位置で固定するためのアンカー杭と、
前記第３線状体の前記表示部を三塁の位置で固定するためのアンカー杭と
を備えたことを特徴とする請求項１又は請求項２に記載の野球競技場区画線設営具である。
」という特徴的構成要件により、
また、第４の考案によれば、
「前記第１線状体に沿ってスリーフィート・ライン設営用の第４線状体が取り付けられている」という特徴的構成要件により、
また、第５の考案によれば、
「前記第１線状体に、本塁から一塁までの距離を表示する前記表示部から一塁コーチャーズ・ボックスまでの距離を表示すると共に一塁コーチャーズ・ボックスのサイズを表示する表示部が設けられ、
前記第３線状体に、本塁から三塁までの距離を表示する前記表示部から三塁コーチャーズ・ボックスまでの距離を表示すると共に三塁コーチャーズ・ボックスのサイズを表示する表示部が設けられている」という特徴的構成要件により、
時間と人手をかけることなく、特に初心者であっても説明書を見るだけで簡単にかつ素早くグラウンド全体について区画線の設営を行うことができる野球競技場区画線設営具を提供するという課題を解決することができた。
【図面の簡単な説明】
【００１４】
【図１】本考案の実施の形態の野球競技場区画線設営具を示す図である。
【図２】本考案の実施の形態の野球競技場区画線設営具による区画線設営方法を示す図である。
【図３】本考案の実施の形態の野球競技場区画線設営具による区画線設営方法を示す図である。
【図４】本考案の実施の形態の野球競技場区画線設営具による区画線設営方法を示す図である。
【図５】本考案の実施の形態の野球競技場区画線設営具による区画線設営方法を示す図である。
【図６】本考案の実施の形態の野球競技場区画線設営具による区画線設営方法を示す図である。
【図７】本考案の実施の形態の野球競技場区画線設営具による区画線設営方法を示す図である。
【図８】本考案の実施の形態の野球競技場区画線設営具による区画線設営方法を示す図である。
【考案を実施するための形態】
【００１５】
図１は本考案の実施の形態の野球競技場区画線設営具を示す図である。図２〜図８は本考案の実施の形態の野球競技場区画線設営具による区画線設営方法を示す図である。なお、本実施の形態の野球競技場区画線は、学童部の野球競技場区画線を意味する。
【００１６】
１．野球競技場区画線設営具
野球競技場区画線設営具Ａは、本塁およびバッターズ・ボックスの設営エリアを覆うためのシート１と、一塁側のファウル・ライン設営用の第１紐Ａ１と、第２紐Ａ２と、第３紐Ａ３と、第１から第３の紐Ａ１〜Ａ３がそれぞれ巻き取られた第１リールＲ１、第２リールＲ２及び第３リールＲ３とを備えている。
【００１７】
シート１は、４つ折り等な可能なように折り畳み自在であり、合成樹脂にて形成されている。図１に示すように、シート１には、シート１を設営エリアのグラウンドにペグアンカーにより固定するための固定孔１００が設けられている。
【００１８】
また、図１に示すように、シート１には、本塁と同じ寸法形状を表示する本塁印刷部Ｈ、バッターズ・ボックスと同じ寸法形状を表示するバッターズ・ボックス印刷部Ｂ、キャッチャーズ・ボックスと同じ寸法形状を表示するキャッチャーズ・ボックス印刷部Ｃ、一塁側のファウル・ラインの本塁側の端部を表示する一塁側のファウル・ライン印刷部Ｆ、及び三塁側のファウル・ラインの本塁側の端部を表示する三塁側のファウル・ライン印刷部Ｔが野球規定で定められた所定に位置関係で印刷されている。
【００１９】
また、図１に示すように、本塁印刷部Ｈ、バッターズ・ボックス印刷部Ｂ、及びキャッチャーズ・ボックス印刷部Ｃの適宜箇所には、それぞれの設営孔Ｈ１、Ｂ１、Ｃ１が設けられている。
【００２０】
本塁印刷部Ｈのうち、一塁側および三塁側のファウル・ライン印刷部Ｆ、Ｔの延長線上に位置する左右の斜辺部Ｈ２の交点には、第２リールＲ２が着脱自在に取り付けられている。また、ファウル・ライン印刷部Ｆの本塁側の延長線上であって、第２リールＲ２の近傍には、第１リールＲ１が着脱自在に取り付けられ、ファウル・ライン印刷部Ｔの本塁側の延長線上であって、第２リールＲ２の近傍には、第３リールＲ３が着脱自在に取り付けられている。
【００２１】
第１紐Ａ１は、本塁から一塁までの距離（２３ｍ）を表示する印部Ａ１１（図７参照）、本塁から一塁までの距離の２倍の距離を表示する２倍印部、及び一塁コーチャーズ・ボックスを設営するための印部ｃ、ｄ、ｅ、ｆ（図４参照）が設けられている。一塁コーチャーズ・ボックスを設営するための印部ｃ、ｄ、ｅ、ｆは、印部Ａ１１から一塁コーチャーズ・ボックスまでの距離を表示すると共に一塁コーチャーズ・ボックスのサイズを表示するものである。印部Ａ１１には穴（図７参照）が設けられており、この穴を下記のペグアンカー杭Ｐの係止部Ｐ２の先端に差し込むことにより、一塁設営位置の誤差をなくす。なお、他の印部にも、同様の穴を設けるようにしてもよい。
【００２２】
第２紐Ａ２は、本塁から二塁に達する長さを有し、本塁から投手板までの距離（１６ｍ、小学４年生以下は１４ｍ）を表示する印部、及び本塁から二塁までの距離を表示する二塁印部が設けられている。さらに、第２紐Ａ２には、ダートサークルを形成するための印部Ａ２０に設けられ、第２リールＲ２を中心として第２紐Ａ２を移動させることにより、この印部の軌跡によってダートサークルを設営できるようになっている。
【００２３】
第３紐Ａ３は、本塁から三塁までの距離（２３ｍ）を表示する印部、本塁から一塁までの距離の２倍の距離を表示する２倍印部、及び三塁コーチャーズ・ボックスを設営するための印部ｃ１、ｄ１、ｅ１、ｆ１（図４参照）が設けられている。三塁コーチャーズ・ボックスを設営するための印部ｃ１、ｄ１、ｅ１、ｆ１は、本塁から三塁までの距離を表示する印部から三塁コーチャーズ・ボックスまでの距離を表示すると共に三塁コーチャーズ・ボックスのサイズを表示するものである。本塁から三塁までの距離を表示する印部には、印部Ａ１１と同様の穴が設けられている。
【００２４】
また、野球競技場区画線設営具Ａは、第１紐Ａ１の印部を一塁の位置で固定するペグアンカー杭Ｐ（図７参照）と、第３紐Ａ３の印部を三塁の位置で固定するためのペグアンカー杭Ｐとを備えている。
図７に示すように、ペグアンカー杭Ｐは、係止部Ｐ２及び紐を係止部Ｐ２内の挿入するための開放部Ｐ１を備えている。そして、例えば、ペグアンカー杭Ｐを一塁設営位置のグラウンドに打ち込んだ場合、第１紐Ａ１を開放部Ｐ１から係止部Ｐ２内に挿入することにより、第１紐Ａ１の印部を一塁の位置で固定する。
【００２５】
また、図８（ａ）に示すように、第１紐Ａ１に沿ってスリーフィート・ライン設営用の第４紐Ａ４が設けられており、第１紐Ａ１を係止部Ｐ２内に挿入する。
図８（ｂ）に示すように、第４紐Ａ４の両端は連結具Ａ４１で第１紐Ａ１に連結されている。
連結具Ａ４１は、第１紐Ａ１に沿ってスライド自在に設けられており、また、スライド範囲は、第１紐Ａ１により一塁側のファウル・ラインが確定した後、図８（ｃ）に示すように、第４紐Ａ４を折り曲げることにより、スリーフィート・ラインを確定できるように規制されている。なお、図８（ａ）（ｃ）では、連結具Ａ４１の図示を省略している。
【００２６】
なお、野球競技場区画線は、一般用、ソフトボール用など使用目的に応じて異なるので、これらの目的に応じて、野球競技場区画線設営具の印部の位置等は適宜変更される。
【００２７】
２．野球競技場区画線設営具による区画線設営方法
上記のように構成される野球競技場区画線設営具による区画線設営方法は、シート固定工程と、一塁ライン確定工程と、三塁ライン確定工程と、二塁位置確定工程と、コーチャーズ・ボックス確定工程と、投手板位置確定工程に基づいて行われる。
【００２８】
シート固定工程では、図１に示すように、シート１でグラウンドの設営エリアに覆い、アンカー杭でグラウンドに固定する。そして、シート１の上から設営孔Ｈ１、Ｂ１、Ｃ１の位置に石灰粉等で印を付けることにより、本塁、バッターズ・ボックス及びキャッチャーズ・ボックスの位置を確定する。
【００２９】
次に、一塁ライン確定工程では、図２に示すように、第１紐Ａ１を第１リールＲ１から一塁側のファウル・ライン印刷部Ｆの延長線上に引き出して、第１紐Ａ１及び印部により一塁側のファウル・ライン及び一塁の位置を確定し、一塁の設営位置１１をグラウンドに石灰粉等により印す。
また、上記のようにペグアンカー杭Ｐにより、第１紐Ａ１の印部を一塁の位置で固定する。また、上記のように第４紐Ａ４を折り曲げることにより、スリーフィート・ラインを確定し、その確定位置をグラウンドに石灰粉等により印す。
また、三塁ライン確定工程では、図２に示すように、第３紐Ａ３を第３リールＲ３から三塁側のファウル・ライン印刷部Ｔの延長線上に引き出して、第３紐Ａ３及び印部により三塁側のファウル・ライン及び三塁の位置を確定し、三塁の設営位置１３をグラウンドに石灰粉等により印す。
上記のようにペグアンカー杭Ｐにより、第３紐Ａ３の印部を一塁の位置で固定する。
【００３０】
次に、二塁位置確定工程では、図３に示すように、第１紐Ａ１を、ペグアンカー杭Ｐ（図７参照）を支点として一塁の位置で二塁側に折り曲げ、また、第３紐Ａ３を、ペグアンカー杭Ｐを支点として三塁の位置で二塁側に折り曲げる。そして、図３に示すように、第１紐Ａ１及び第３紐Ａ３のそれぞれの２倍印部が合致する位置を二塁の設営位置１２として確定し、その確定位置をグラウンドに石灰粉等により印す。
また、第２紐Ａ２を第２リールＲ２から引き出し、第２紐Ａ２の二塁印部が、第１紐Ａ１及び第３紐Ａ３のそれぞれの２倍印部の合致点に合致するか否かを確認することによって設営精度を向上させることができる。
【００３１】
コーチャーズ・ボックス確定工程では、図４に示すように、第１紐Ａ１を、ペグアンカー杭Ｐ（図７参照）を支点として一塁の位置で外側に折り曲げ、２点鎖線で示すように第１紐Ａ１に付けられたコーチャーズ・ボックス用の印部ｃ、ｄ、ｅ、ｆの箇所で第１紐Ａ１を折り曲げることにより、一塁側のコーチャーズ・ボックスの位置を確定し、その確定位置をグラウンドに石灰粉等により印す。また、図４に示すように、第３紐Ａ３を、ペグアンカー杭Ｐを支点として三塁の位置で外側に折り曲げ、第３紐Ａ３に付けられたコーチャーズ・ボックス用ｃ１、ｄ１、ｅ１、ｆ１の印部に基づいて三塁側のコーチャーズ・ボックスの位置を確定し、その確定位置をグラウンドに石灰粉等により印す。
【００３２】
次に、投手板位置確定工程では、図５に示すように、第２紐Ａ２を第２リールＲ２から引き出して二塁の確定位置１２まで延長し、第２紐Ａ２の印部により投手板の設営位置１０を確定し、その確定位置をグラウンドに石灰粉等により印す。
【００３３】
以上の工程により、図６に示すような野球競技場の区画線の設営を行うことができる。なお、ダートサークルは、上記のように第２紐Ａ２によって設営する。
【００３４】
このように野球競技場区画線設営具を使用すれば、時間と人手をかけることなく、特に初心者であっても、上記の作業手順を記載した説明書を見るだけで簡単にかつ素早く、グラウンド全体について、野球競技場の区画線の設営を行うことができる。
【符号の説明】
【００３５】
Ａ          野球競技場区画線設営具
Ａ１        第１紐
Ａ１１      印部
Ａ２        第２紐
Ａ２０      ダートサークルを形成するための印部
Ａ３        第３紐
Ａ４        第４紐
Ａ４１      連結具
Ｂ          バッターズ・ボックス印刷部
Ｂ１        設営孔
Ｃ          キャッチャーズ・ボックス印刷部
Ｃ１        設営孔
Ｆ          一塁側のファウル・ライン印刷部
Ｈ          本塁印刷部
Ｈ１        設営孔
Ｈ２        本塁印刷部の斜辺部
Ｐ          ペグアンカー杭
Ｐ２        係止部
Ｐ１        開放部
Ｒ１        第１リール
Ｒ２        第２リール
Ｒ３        第３リール
Ｔ          三塁側のファウル・ライン印刷部
１          シート
１００      固定孔
【図１】
0003174946.tif 000003
【図２】
0003174946.tif 000004
【図３】
0003174946.tif 000005
【図４】
0003174946.tif 000006
【図５】
0003174946.tif 000007
【図６】
0003174946.tif 000008
【図７】
0003174946.tif 000009
【図８】
0003174946.tif 000010